(57)【要約】【課題】  門型枠等で構築した法枠は断面形状が円弧状となり、法枠の横梁に水を溜めることなく排水できる反面、緑化植生を目的として吹き付けた植生基盤が流出しやすくなるなど、使用目的が限定される。さらに、構築される法枠は、その高さが得にくく幅広となって目立ちやすくなる【解決手段】  現場打ちコンクリート法枠工において、法枠を構築する法面上に配設した鉄筋に敷設する型枠部材であって、一の板状型枠と、該板状型枠の長手方向の一部に取り付けるもので構築する法枠の該板状型枠側及び法面側以外の断面形状をほぼ特定させる突枠と、該板状型枠と該突枠の少なくともいずれかに設けこれらの間で該鉄筋に係合させる係合部とによって構成する。【選択図】        図１
2005126939.tif 000002
【特許請求の範囲】
【請求項１】
現場打ちコンクリート法枠工において、法枠を構築する法面上に配設した鉄筋に敷設する型枠部材であって、一の板状型枠と、該板状型枠の長手方向の一部に取り付けるもので構築する法枠の該板状型枠側及び法面側以外の断面形状をほぼ特定させる突枠と、該板状型枠と該突枠の少なくともいずれかに設けこれらの間で該鉄筋に係合させる係合部とによって構成したことを特徴とする法枠構築用型枠。
【請求項２】
突枠は、板状型枠に回動可能に設けたものである請求項１記載の法枠構築用型枠。
【請求項３】
複数設けた突枠の自由端部側を別体の連結具で連結したものである請求項１記載の法枠構築用型枠。
【請求項４】
各突枠と連結具は、回動可能に連結したものである請求項２又は３記載の法枠構築用型枠。
【請求項５】
板状型枠と突枠間に架設した下梁部を係合部としたものである請求項１記載の法枠構築用型枠。
【請求項６】
係合部は、鉄筋を通過させる鉄筋導入部と該鉄筋導入部の奥部に設けた鉄筋支持部とによって構成したものである請求項５記載の法枠構築用型枠。
【請求項７】
鉄筋導入部の少なくとも一部は、鉄筋の径以下の幅である請求項６記載の法枠構築用型枠。
【請求項８】
法面に構築した法枠の升目に植生基材を充填して斜面を緑化する工法において、該法枠の少なくとも横梁を、板状型枠の一面側長手方向の一部に法枠の該板状型枠側及び法面側以外の断面形状をほぼ特定させる突枠を有すると共に、法面上に配設した鉄筋に係合させる係合部を該板状型枠と該突枠の間に有する型枠で構築することを特徴とする斜面緑化工法。
【請求項９】
板状型枠を谷側にして法枠の横梁を構築し、升目に該横梁とほぼ平行に木材を設置して植生基材を充填する請求項８記載の斜面緑化工法。
【請求項１０】
木材は、ロープに係止させて設置する請求項９記載の斜面緑化工法。
【請求項１１】
板状型枠を山側にして法枠の横梁を構築し、升目に植生基材を充填する請求項８記載の斜面緑化工法。
【発明の詳細な説明】
【技術分野】
【０００１】
本発明は、現場打ちコンクリート法枠工における法枠形成用の型枠及び斜面緑化工法の改良に関するものである。
【背景技術】
【０００２】
一般的に地山表面や切土、盛土による法面などを補強、崩壊防止、植生等を目的として、その表面にコンクリート構造物を網目状に構築するいわゆる法枠工が広く実施されている。現場打ちコンクリート法枠工として、対向位置に配した２枚の金網と鉄筋により形成した骨組みの枠を、地山の地形に順応させて張り付け、これを型枠としてコンクリート又はモルタル（以下「モルタル等」という。）を吹き付けて現場打ち法枠を造成する、いわゆるフリーフレーム工法がある。
【０００３】
この他、法面にラス網を敷設し、該ラス網上に格子状に配設した鉄筋の適宜箇所に枠体を取り付け、これらを埋設するように低スランプのモルタル等を吹き付けて、格子状の法枠を構築する吹付法枠工がある。この枠体は、モルタル等の吹き付け時において、ほぼ一定の幅と高さの法枠を形成するための目安として設置する（例えば、特許文献１）。枠体としては、金属線材で形成した円弧状や台形などの多角形状の門型枠、或いはこれらを両端に配して連結材で連結した、いわゆるカマボコ形状としたものが一般的である（例えば、特許文献２）。枠体は、法面上に敷設した金網や鉄筋に針金などで固定する方法が採られており、例えば鉄筋に固定する場合、枠体を構成する線状体を凹状に曲げて形成した鉄筋受け部が設けられている。
【０００４】
斜面を緑化する工法としては、法枠と併用する場合が多く、法面に構築した法枠の升目に、種子、肥料、土、バークなどを混合した植生基材を吹き付けたり、植生基材を充填した袋を設置するなどの方法が採られている。また、法面に縦梁を構築し、該縦梁間に間伐材などの木材を複数架け渡すようにして設置して植生基材を保持させる、いわゆるウッドスロープ工法がある。木材は、アンカーピンなどで法面に固定する他、縦梁の型枠に係止部材を設けて構築したり（例えば、特許文献３）、両側に係止部が突出する形状に縦梁を構築する方法がある。
【特許文献１】特開平１１−１４８１３３号
【特許文献２】特開平６−２４０６８０号
【特許文献３】特開平２００１−１４０２６２
【発明の開示】
【発明が解決しようとする課題】
【０００５】
フリーフレーム工法は２枚の金網を補強材兼型枠とする工法であることから、強度を必要とする法枠の構築に有用であり、型枠解体が不要などの利点がある。しかし、型枠として重量が重く法面への搬入効率が低下することや、鉄筋との結合に手間が掛かり作業能率が低下する問題があった。しかも、埋め殺しであるためコスト高になるなどの欠点がある。このため、あまり強度を必要としない緩勾配の法面、緑化を目的とする法枠、法枠の横梁などにおいては、無駄が多い工法であり、前述した門型枠やカマボコ型枠などの簡易型枠が普及しているのが現状である。
【０００６】
ところが、門型枠やカマボコ型枠においても、カマボコ型枠は嵩高く輸送や法面への搬入効率が低下する問題や、門型枠は単に平面的な形状で搬送効率が高くなるものの、平面的であるが故に法面への設置が安定せず、目安にするための型枠としての機能が充分発揮できないなどの欠点を有していた。しかも、門型枠等で構築した法枠は断面形状が円弧状となることから、法枠の横梁に水を溜めることなく排水できる反面、緑化植生を目的として吹き付けた植生基盤が流出する問題が生じることもあり、使用目的が限定されることになる。さらに、構築される法枠は、その高さが得にくく幅広となり目立ちやすくなる欠点があり、緑化を目的とする場合には、その効果が半減することになる。また、法面に縦梁のみを構築して木材を設置するウッドスロープ工法においては、法面を保護する面で強度が著しく低下し、崩落の危険性が高い法面などでは採用できない構造的な問題があった。
【課題を解決するための手段】
【０００７】
そこで本発明者等は上記問題に鑑み鋭意研究の結果、本発明を成し得たものであり、その特徴とするところは、現場打ちコンクリート法枠工において、法枠を構築する法面上に配設した鉄筋に敷設する型枠部材であって、一の板状型枠と、該板状型枠の長手方向の一部に取り付けるもので構築する法枠の該板状型枠側及び法面側以外の断面形状をほぼ特定させる突枠と、該板状型枠と該突枠の少なくともいずれかに設けこれらの間で該鉄筋に係合させる係合部とによって構成したことにある。
【０００８】
また、工法の発明にあっては、法面に構築した法枠の升目に植生基材を充填して斜面を緑化する工法において、該法枠の少なくとも横梁を、板状型枠の一面側長手方向の一部に法枠の該板状型枠側及び法面側以外の断面形状をほぼ特定させる突枠を有すると共に、法面上に配設した鉄筋に係合させる係合部を該板状型枠と該突枠の間に有する型枠で構築することにある。
【０００９】
ここで、本明細書中でいう「板状型枠」とは、矩形の薄板状部材であってコンクリート吹付工における型枠として使用するものをいう。一般的には、フリーフレーム工法に用いられる金網やエキスパンドメタルなど網目状部材を利用し、埋め殺しにすることで補強材兼型枠とするが、本発明においては、段ボール、プラスチック段ボールの他、木製や鉄製の板状型枠としてもよい。
【００１０】
「突枠」とは、板状型枠の長手方向の一部に一乃至複数設けることにより、法面に配設した鉄筋の適宜箇所に敷設して型枠を形成する部材をいう。これは、板状型枠の上部から側方に部分的に突出させることにより、モルタル等を吹き付ける際における法枠の断面形状をほぼ特定させる。本発明に係る法枠構築用型枠によって成型される法枠の断面形状は、板状型枠側が法面からほぼ鉛直方向に立ち上がる直線となり、その他の部分は基本的に突枠の形状によって決定される。突枠の形状は特に限定するものではなく、例えば扇形、三角形、矩形、多角形などの断面形状となる。
【００１１】
突枠は、基本的に法枠の板状型枠部分及び法面側以外の断面形状を特定し、法枠の形状をほぼ一定にするためのものとして用いるが、本発明では突枠を板状型枠の一部に設けた構造であることから、法枠の高さは板状型枠の高さで特定してもよい。このことから、突枠は板状型枠の上端だけでなく、上端より下方の位置に設けてもよい。突枠は、金属線材やワイヤなどで形成する他プラスチックでもよく、これらの射出成型品でもよい。
【００１２】
一の板状型枠に複数の突枠を設ける場合、各突枠の自由端側を別体の連結具で連結して強度を高めることができる。突枠が一つの場合でも自由端側に連結具のような棒状のものを板状型枠と平行に設けてもよい。また、板状型枠に棒状の補強材を設けてもよく、この場合には、該補強材と突枠を連結してもよい。突枠は、板状型枠の長手方向の一部に突出させた状態で溶接やロウ付けなどの手段で固定する他、板状型枠の高さ方向を軸として回動可能に設け、折り畳めるようにしてもよい。さらに、突枠の端部をフック状やリング状にして板状型枠の一部に着脱させるようにしてもよく、板状型枠が金網などの場合は任意の位置に任意の数設けることができる。本発明の主たる目的は、簡易な構造で立ち上がり面を有する法枠を構築できる型枠を提供することにあるが、突枠を板状型枠の両面に設けることでカマボコ状の法枠を構築することも可能である。この場合、板状型枠により従来に比して法枠の高さを高く構築でき、しかも幅を狭くすることも可能となる。
【００１３】
「係合部」とは、板状型枠や突枠に設けるもので、これらによって囲まれた空間内で法面上に配設した鉄筋に係合させる部分をいう。係合部は、特に限定するものではなく、鉄筋に係合させる部分があればよい。例えば、突枠に凹部を設けたり、板状型枠と突枠に架設した下梁部を係合部として針金などの結束具で鉄筋と固定する。鉄筋に係合させる部分として単なる凹部を設ける他、開口した鉄筋導入部を形成し、該鉄筋導入部の側方や奥部に鉄筋支持部を設けた構造とすることもできる。突枠と下梁部などの係合部は、一体に形成してもよく、別体でもよい。
【００１４】
鉄筋支持部は、本発明に係る法枠構築用型枠を鉄筋に敷設させたとき、該鉄筋に支持する部分であり、鉄筋導入部は、鉄筋が該鉄筋支持部に入り込むまでに通過させる部分である。鉄筋導入部は、少なくとも一部を鉄筋の径（幅）以下の幅（以下、「狭隘部」という。）としてもよい。これは、法面上に配設した鉄筋に鉄筋設置具を敷設する際、該鉄筋を鉄筋導入部に嵌め込むように通過させ、該鉄筋を鉄筋支持部に収まらせるようにするためである。狭隘部は、鉄筋導入部全体とする他、鉄筋支持部と隣り合う部分に設けてもよい。
【００１５】
ここでいう鉄筋導入部、鉄筋支持部、狭隘部の幅とは、鉄筋に直交する面に対する幅である。例えば、鉄筋設置具を敷設した状態で鉄筋導入部と鉄筋が直交しない場合、鉄筋導入部の絶対的な幅が鉄筋の径より大きくても、鉄筋が直交する面に対する幅が、鉄筋の径と同じかそれより小さくなり、同等の効果が得られる。このことは、鉄筋導入部を捻った状態に設けた場合も同様で、この場合も鉄筋が直交する面に対する幅を、鉄筋の径と同じかそれより小さくすることができる。
【００１６】
鉄筋支持部は、鉄筋の径より小径若しくは幅や高さを狭くしてもよい。この場合、敷設作業に多少の労力を伴うものの、鉄筋支持部で鉄筋を保持させることができ、針金等による鉄筋との結束作業を省略することも可能となる。
【００１７】
本発明に係る鉄筋設置具は、ラス網などの網状体の上に敷設されることから、上梁部の自由端部が網目の中に入り込み、形成すべき法枠の高さを確保できない場合がある。このため、該上梁部の自由端部に網目の中に入り込まない大きさ若しくは長さの足を設けておくのが好ましい。足としては、特に限定するものではないが、アーチ状部材の脚の端部を折り曲げた状態にして形成したり、別体の線状体や足部材を脚の途中部分や端部に溶接や嵌め込みによって設ける。
【発明の効果】
【００１８】
以上のように本発明に係る法枠構築用型枠は、板状型枠の一面側に突枠を設けた構造としたことにより、従来の簡易型枠と同じように法面への敷設が容易となるだけでなく、板状型枠によって法枠の高さが得られることから、幅を狭くしても設計強度を確保することができる。また、鉄筋に係合させる係合部を鉄筋導入部に狭隘部を設けた構造では、鉄筋をある程度保持でき、結束作業が省略できたり、結束作業を行うにしてもその作業が容易になる。
【００１９】
本発明に係る斜面緑化工法は、板状型枠の一面側に突枠を設けた型枠で法枠の横梁を構築するため、横梁に立ち上がり面を形成することができ、斜面緑化を目的として植生基材を充填した場合でも、その流出防止を図ることが可能となる。また、逆に板状型枠を谷側にすれば法枠の升目に雨水を溜めずに排出させることができ、法枠の縦梁間に間伐材などを敷設していくいわゆるウッドスロープ工法などの斜面緑化工法においても利用することができる。特に、斜面緑化を目的とする場合において、法枠としての強度をほとんど低下させることなく横梁を目立ちにくく構築することができ、種々の緑化工法に対応させることが可能となるなど極めて有益な効果を有するものである。
【発明を実施するための最良の形態】
【００２０】
本発明は、板状型枠の一面側に、上梁部と鉄筋に係合させる下梁部より成る突枠を設けた構造とし、従来の簡易型枠と同様の工程で立ち上がり面を有する法枠を構築することにより、上述課題を解決した。
【実施例１】
【００２１】
図１は、本発明に係る法枠構築用型枠１の一例であり、金網である板状型枠２の一面に突枠３を２つ設けたものである。突枠３の形状と板状型枠２に基づいてモルタル類を打設して法枠４を構築する。この型枠１を法面５上に配設された鉄筋６と係合させるため、本例では下梁部７を板状型枠２と突枠３に架設し、下方に向かって開口した凹部を係合部８としている。本例の突枠３と下梁部８は、φ４mmの鉄製線材を曲げ加工し、交差部分を溶接して形成したもので、板状型枠２に溶接で固定している。
【実施例２】
【００２２】
図２は、本発明に係る斜面緑化工法の一例を示すもので、法枠４を構築する法面５にラス網９を張り、該ラス網９上に格子状に配設した鉄筋６に図１の型枠１を板状型枠２を谷側にして敷設する。敷設された型枠１を目安にモルタル類を吹き付けることにより、幅、高さ、断面形状がほぼ一定の法枠４を形成する。そして、該法枠４の升目にラス網９に固定したロープ１１に間伐材１２を取り付け、種子、肥料などを混合した植生基材を吹き付ける。
【００２３】
本例では、ロープ１１として被覆鉄線を用い、適宜箇所に設けたループ１３に間伐材１２を挿通して支持しているが、前述したように法枠４の縦梁に間伐材１２の係止具を取り付けたり、縦梁自体を係止部を設けた構造にしてもよい。また、本例の法枠４の縦梁は従来のフリーフレーム工法で構築し、横梁を本発明に係る型枠１で構築する例を示している。このように工法を併用する目的は、フリーフレーム工法で縦梁を構築することによって高い強度を得ることと、型枠１で横梁を構築して升目に雨水を溜めにくくするためである。このため、緩斜面や岩盤などの法面５においては、型枠１だけ法枠４を構築することも可能である。
【実施例３】
【００２４】
図３に本発明に係る法枠構築用型枠１の他の例を示す。同図（ａ）は一本の線材で突枠３と下梁部７を形成した例である。本例では、突枠３と下梁部７の端部を自由端側で連結しているが、板状型枠２側で連結してもよく、各端部を板状型枠２に連結してもよい。構築する法枠４の断面形状は、突枠３の形状により、扇形の他、同図（ｂ）の三角形、同図（ｃ）の矩形などに形成できる。また、同図（ｄ）のように板状型枠２で法枠４の高さを特定できることから、突枠３は板状型枠２の上端より下方に設けても、所定の形状にモルタル類を打設することができる。
【実施例４】
【００２５】
鉄筋６に係合させる係合部８としては、図４に示す種々のものが考えられる。同図（ａ）及び（ｂ）は突枠３に凹部を設けて係合部８としている。また、同図（ｃ）や（ｄ）のように突枠３や板状型枠２に別体の係合部８を設けてもよい。
係合部８としては、この他図５の各例に示すように鉄筋導入部８１の奥部に鉄筋支持部８２を設けた構造としてもよい。鉄筋導入部８１の少なくとも一部を鉄筋６の径より狭い狭隘部８３とすることにより、鉄筋６を鉄筋支持部８２に支持させやすくすることができる。本例ではφ１０mmの鉄筋６に対し、鉄筋導入部８１の幅１２mm、狭隘部８３の幅８mm、鉄筋支持部３３の内径φ１１mmとしている。また、各例では２本配設した鉄筋６に係合させる例を示しているが、１本の場合にも応用することができる。
【実施例５】
【００２６】
図６（ａ）は、本発明に係る型枠１のさらに他の例を示すもので、複数設けた突枠３の自由端側を別体の連結具１０で連結したものである。連結具１０を設けることにより、型枠１のみならず構築した法枠４の強度を高めることができる。このため、板状型枠２にも鉄筋６のような金属棒材を設けて補強してもよい。また、型枠１の敷設方法として、連結具１０や板状型枠２に設けた補強材の一部が重なるように敷設することでより強度を高めることができる。同図（ｂ）は、板状型枠２に対し突枠３を可回転に設け、さらに突枠３に連結具１０を可回転に連結して折り畳み可能とした例を示している。
【実施例６】
【００２７】
図７は本発明に係る型枠１のさらに他の例であり、板状型枠２を山側にして設けることにより、法枠４の横梁の山側に立ち上がり面を形成することができる。これにより、法枠４の升目に吹き付けたり載置した植生基材１４の流出を防止することができ、種々の工法に対応させることが可能となる。
【実施例７】
【００２８】
図８は、型枠１のさらに他の例であり、突枠３の自由端部に足３１を設けたものである。この足３１は、突枠３の自由端部を曲げ加工して形成している。例えば、法面５の凹部では、敷設したラス網９との間に隙間が生じていることがあり、突枠３に足３１を設けることにより、端部がラス網９の網目の中に入り込むことなく、ラス網９に対する型枠１の高さや傾きを一定にすることができる。
【図面の簡単な説明】
【００２９】
【図１】本発明に係る法枠構築用型枠の一例を示す斜視図である。（実施例１）
【図２】本発明に係る斜面緑化工法の一例を示す一部を破断した斜視図である。（実施例２）
【図３】（ａ）乃至（ｄ）は、それぞれ本発明に係る法枠構築用型枠の他の例を示す側面図である。（実施例３）
【図４】（ａ）乃至（ｄ）は、それぞれ本発明に係る法枠構築用型枠における係合部の他の例を示す側面図である。（実施例４）
【図５】（ａ）乃至（ｆ）は、それぞれ本発明に係る法枠構築用型枠における係合部のさらに他の例を示す部分側面図である。
【図６】（ａ）及び（ｂ）は、それぞれ本発明に係る法枠構築用型枠のさらに他の例を示す斜視図である。（実施例５）
【図７】本発明に係る法枠構築用型枠の使用状態の他の例を示す側面図である。（実施例６）
【図８】本発明に係る法枠構築用型枠のさらに他の例を示す側面図である。（実施例７）
【符号の説明】
【００３０】
１  法枠構築用型枠
２  板状型枠
３  突枠
３１  足
４  法枠
５  法面
６  鉄筋
７  下梁部
８  係合部
８１  鉄筋導入部
８２  鉄筋支持部
８３  狭隘部
９  ラス網
１０  連結具
１１  ロープ
１２  間伐材
１３  ループ
１４  植生基材
【図１】
2005126939.tif 000003
【図２】
2005126939.tif 000004
【図３】
2005126939.tif 000005
【図４】
2005126939.tif 000006
【図５】
2005126939.tif 000007
【図６】
2005126939.tif 000008
【図７】
2005126939.tif 000009
【図８】
2005126939.tif 000010